(57)【要約】【課題】放射能で汚染された場所や範囲を検出するための方法としては、例えば、スミヤテスト、あるいは各種線量計を利用した方法があるが、こうした従来の検出方法は、複雑な形状を利用した施設での使用は、非常に困難であり、また直感的に放射能分布を理解することができない。本発明は、高感度でありながらも安定性に優れ、かつ取り扱いが簡便な放射能分布検知法を提供することを目的とする。【解決手段】本発明は、放射線を吸収して着色する有機化合物（例えば、ジアセチレン化合物）を構成成分とする微粒子を液体もしくは固体中に分散し、それら液体を所定部位に噴霧する、もしくは固体を所定部位に張り付ける等の手法により放射能汚染部位を着色情報に置き換えて容易に識別可能にするものである。【選択図】    図１
2004340768.tif 000002
【特許請求の範囲】
【請求項１】
放射線を吸収して着色する有機化合物微粒子を液体に分散した放射線検出材料。
【請求項２】
請求項１記載の放射線検出材料を噴霧することにより放射能分布を認識する放射能分布検出方法。
【請求項３】
放射線を吸収して着色する有機化合物微粒子を固体に分散した放射線検出材料。
【請求項４】
請求項３記載の放射線検出材料を張り付けることにより放射能分布を認識する放射能分布検出方法。
【請求項５】
上記有機化合物は、固体状のジアセチレン化合物であることを特徴とする請求項１又は３記載の放射線検出材料。
【発明の詳細な説明】
【０００１】
【発明の属する技術分野】
本発明は、放射能分布あるいは放射線分布に関し、特に、放射能で汚染された場所や範囲を検出するための材料とその材料を使用した検出方法に関するものである。
【０００２】
【従来の技術】
放射性物質を取り扱う施設において、その汚染状況を検査する方法は、既にいくつか開発されている。例えば、スミヤテスト、あるいは各種線量計を利用した方法である。
【０００３】
しかし、こうした従来の検出方法は、複雑な形状を利用した施設での使用は、非常に困難であり、また直感的に放射能分布を理解することができない。
【０００４】
そこで、放射能分布を着色などの情報に置き換えて検知する試みがあるが、感度等において不十分である（下記特許文献１参照）。  また、感度面で良好な放射能着色性塗料なども報告されているが、複数成分からなる複雑な系であると共に、外部環境（ｐＨ、湿度、紫外線、可視光線など）に対して安定性が十分ではないなどの問題点が多い（下記特許文献２ないし４参照）。
【０００５】
さらに、可視光線や紫外線等に対して非感応であり、放射線（特に低線量の放射線）に対してのみ選択的に感応して発色又は変色する材料を提供するために、ロイコ化合物及び有機ハロゲン化合物を必須成分とする放射線感応組成物を含有したマイクロカプセルも知られているが（下記文献５参照）、酸化防止剤等の複数成分からなる複雑系であるとともに、有機溶剤を用いる必要があるなど問題が多い。なお、この放射線感応組成物としてジアセチレン化合物も用いられているが、この場合のジアセチレンは置換基として使用されているものであり、ジアセチレン部位が反応して発色するものでない。
【０００６】
【特許文献１】特開平１−１８５４７７号公報
【特許文献２】特公昭５２−２９６１６号公報
【特許文献３】特公昭５３−１３９８４号公報
【特許文献４】特開昭６１−２８７９６８号公報
【特許文献５】特開２００１−２４２２４９号公報
【０００７】
【発明が解決しようとする課題】
以上述べたように、従来の放射線検知方法は、感度、外部環境に対する安定性などに少なからず問題点を抱えている。そこで、本発明では、高感度でありながらも安定性に優れ、かつ取り扱いが簡便な放射能分布検知法を提供することを目的とする。
【０００８】
【課題を解決するための手段】
本発明は、上記目的を達成するために、放射線を吸収して着色する有機化合物を構成成分とする微粒子を液体もしくは固体中に分散し、それら液体を所定部位に噴霧する、もしくは固体を所定部位に張り付ける等の手法により放射能汚染部位を着色情報に置き換えて容易に識別可能にするものである。
【０００９】
【発明の実施の形態】
ここで用いられる有機化合物は、ジアセチレン化合物などの紫外光もしくは放射線を吸収して着色するものであるが、化学的には安定なものが用いられる。
【００１０】
ジアセチレン化合物は、アセチレン結合を二個有するが、アセチレン結合をそれ以上（２から８）有する化合物でも同様の着色反応は見られ、アセチレン結合の数が多いほど着色反応性も高いことが知られている。化学式で表現すれば、図１のようになる。図１において、ｌ、ｎはそれぞれ０以上２０以下の整数、ｍは２以上８以下の整数を示す。Ｒ１、Ｒ２は、それぞれ、ハロゲン原子、カルボン酸とその塩・アミド・エステル、ヒドロキシ基とそのカルボン酸・スルホン酸・ホスホン酸・イソシアン酸のエステル、１級・２級アミノ基とそのカルボン酸・スルホン酸・ホスホン酸・イソシアン酸のアミド、３級アミノ基、エーテル、アセタール基、ホルミル基、チオカルボン酸とその塩・アミド・エステル、チオールとそのカルボン酸・スルホン酸・ホスホン酸・イソシアン酸のエステル、チオエーテル、セレノエーテル、テルノエーテル、シリル基、置換基を有していてもよい芳香環又は複素環、置換基を有していてもよい飽和又は不飽和のシクロアルキル基、置換基を有していてもよい飽和又は不飽和の直鎖アルキル基、置換基を有していてもよい飽和又は不飽和の分岐アルキル基を示す。この中では、１５，１７，１９，２１，２３，２５−ｔｅｔｒａｃｏｎｔａｈｅｘａｙｎｅの着色性がもっとも高かった。
【００１１】
使用するに当たっては、上記化合物を微粒子化し、液体もしくは固体中に安定に分散した形態を用意する。上記微粒子分散体には放射線のみに反応して着色する化合物を適用することが望ましいが、紫外光、放射線のいずれにも反応して着色する有機化合物も適用可能であり、その場合には、紫外光を吸収する材料でコーティングした微粒子を分散した液体、もしくは紫外光を吸収する材料でコーティングされた固体あるいは紫外線を吸収する固体中に分散したものが用いられる。
【００１２】
図２に示すように、微粒子分散液の作成方法は、良溶媒に溶解したジアセチレン化合物溶液を貧溶媒に滴下することで作成することができる。良溶媒としては、アセトン・メタノール・エタノール、貧溶媒としては、水などを用いることができるが、これらに限定されるものではない。また微粒子分散固体の作成方法は、上記ジアセチレン化合物分散液もしくはジアセチレン化合物溶液を紙、高分子膜などに浸透させて溶媒を除去することで作成できる。
【００１３】
図３に示すように、上記微粒子分散体が液体である場合には、検査したい所定の場所に対して噴霧器等を用いて噴霧する事により、放射能汚染部位を着色情報に置き換えて目視などによりきわめて簡便に認識することが可能である。
【００１４】
上記微粒子分散体が固体である場合には、検査したい所定の場所に張り付けることにより、放射能汚染部位を知る手がかりとなり、簡易放射線検知器として利用することが可能である。
【００１５】
【実施例１】
ジアセチレン化合物１，６−（Ｎ−ｄｉｃａｒｂａｚｏｌｙｌ）−２，４−ｈｅｘａｄｉｙｎｅの１０ミリモル／リットル濃度のアセトン溶液を作成する。
【００１６】
１０ｍｌの水を２０００ｒｐｍで撹拌しながら、上記溶液を２００μｌ、素早く滴下し、滴下終了後撹拌を止め、２０分間放置した。
【００１７】
上記分散液を紫外線吸収基材に噴霧し、更にその上に同様の紫外線吸収基材を重ねた。該紫外線吸収基材としては、例えば、メトキシ桂皮酸エステル類、ベンゾフェノン類、アミノ安息香酸エステル類などを単独又は紙・高分子等の基材に吸収させたものや、ポリエチレンテレフタレート・ポリカーボネートなどの芳香族置換基を含む高分子が一般的に用いられる。
【００１８】
上記固体に対して一部分をマスクしてガンマ線照射を行ったところ、低線量（〜５ｋＧｙ）でマスクされていないガンマ線照射部位のみが着色した。
【００１９】
【実施例２】
ジアセチレン化合物４，６−ｄｅｃａｄｉｙｎｅ−１，１０−ｄｉｙｌ  ｂｉｓ  （Ｎ−ｂｕｔｈｏｘｙｃａｒｂｏｎｙｌｍｅｔｈｙｌ）  ｃａｒｂａｍａｔｅをメタノールに溶解し、メタノール溶液を濾紙に染み込ませ、乾燥させて微粒子を含有した固体支持体を作成した。
【００２０】
上記固体支持体を市販のラミネートフィルムを用いてパウチし、放射線検査紙を作成した。
【００２１】
上記放射線検査紙に対してマスクを介したガンマ線照射を施したところ、低線量（２ｋＧｙ以下）でガンマ線照射部位のみが着色した。
【００２２】
【発明の効果】
本発明によれば、高感度でありながらも安定性に優れ、かつ取り扱いも簡便に放射能分布を計測することができる。
【図面の簡単な説明】
【図１】ジアセチレン化合物の例
【図２】ジアセチレン化合物微粒子の作成説明図
【図３】噴霧器を用いてジアセチレン化合物微粒子分散体を噴霧し、放射能分布を検出する状況説明図
【図１】
2004340768.tif 000003
【図２】
2004340768.tif 000004
【図３】
2004340768.tif 000005